(57)【特許請求の範囲】
【請求項１】
４つの壁状部材を有し平面視が矩形の作業用ブースであって、
前記４つの壁状部材のうちの一の壁状部材及び当該一の壁状部材の両側の壁状部材それぞれの内側の面に沿って水平に設けられたテーブル板を有し、
前記４つの壁状部材のうち、前記一の壁状部材を除くいずれかの壁状部材は、開閉可能な扉を含み、
前記４つの壁状部材のうちの前記一の壁状部材の内側の面であって前記テーブル板よりも上側の部分には音響障害を改善する調音パネルが設けられ、且つ少なくとも前記一の壁状部材の両側の壁状部材それぞれの内側の面であって前記テーブル板よりも上側の部分には吸音する吸音材が設けられ、
前記４つの壁状部材については、前記扉を含む壁状部材にのみ開口部が設けられ、
前記扉は、前記壁状部材の上端から前記壁状部材の２／３程度の長さとなる位置にかけて設けられ、前記開口部は、前記扉の下端から前記壁状部材の１／３程度の長さとなる位置にかけて設けられ、
前記テーブル板は、前記扉の下端部近くの、当該下端部よりも上となる位置に設けられていることを特徴とする作業用ブース。
【請求項２】
前記４つの壁状部材のうちの少なくとも一つには採光部が設けられていることを特徴とする請求項１に記載の作業用ブース。
【請求項３】
前記４つの壁状部材の上端に天井板が設けられていることを特徴とする請求項１又は請求項２に記載の作業用ブース。
【請求項４】
前記天井板には採光部が設けられていることを特徴とする請求項３に記載の作業用ブース。
【発明の詳細な説明】
【技術分野】
【０００１】
本発明は、作業用ブースに関する。
【背景技術】
【０００２】
近年、働き方改革による、テレワークやリモートワーク等の多様な働き方の推進、また、コロナウィルスの影響等により、自宅やサテライトオフィスでのテレワークが加速している。また、コロナウィルスの影響を受けて、企業によっては、事務所を縮小する傾向にあり、テレワークの比率が増大すると予想される。
【０００３】
市場では、テレワーク用の商品、例えば机、椅子、イヤホン、マイクロホン等が販売されている。しかしながら、外部からの騒音を遮音すること、自らが騒音源として発する音を吸音すること、等といったテレワーク中の環境に配慮する商品は少ない。テレワーク中の環境に配慮した家中テレブースとして、ＢＯＸ型等が提案されている。また、テレブースの簡易タイプとしては、テント型等のブース、また、ダンボールを使用した家具、ライティングデスクの様な家具、または収納家具等が提案されている。また、サテライトオフィス用等としてカプセル型（例えば、特許文献１参照）のブース等も提案されている。
【先行技術文献】
【特許文献】
【０００４】
【特許文献１】特許第３２９８４７９号公報
【発明の概要】
【発明が解決しようとする課題】
【０００５】
しかしながら、従来のテレワーク用の商品においては、会議時の声が家人に聞こえたり、家中のしゃべり声が聞こえたりする等、集中して作業することが困難であり、外部からの騒音の遮断や自らが騒音源として発する音等の吸音など、音環境に配慮した作業用スペースが望まれていた。
【０００６】
そこで、この発明は、上記従来の未解決の課題に着目してなされたものであり、音環境の向上を図り、良好な作業環境を提供することの可能な作業用ブースを提供することを目的としている。
【課題を解決するための手段】
【０００７】
上記目的を達成するべく、本発明の一態様によれば、４つの壁状部材を有し平面視が矩形の作業用ブースであって、４つの壁状部材のうちの一の壁状部材及びこの一の壁状部材の両側の壁状部材それぞれの内側の面に沿って水平に設けられたテーブル板を有し、４つの壁状部材のうち、一の壁状部材を除くいずれかの壁状部材は、開閉可能な扉を含み、４つの壁状部材のうちの一の壁状部材の内側の面であってテーブル板よりも上側の部分には音響障害を改善する調音パネルが設けられ、且つ少なくとも一の壁状部材の両側の壁状部材それぞれの内側の面であってテーブル板よりも上側の部分には吸音する吸音材が設けられ、４つの壁状部材については、扉を含む壁状部材にのみ開口部が設けられ、扉は、壁状部材の上端から壁状部材の２／３程度の長さとなる位置にかけて設けられ、開口部は、扉の下端から壁状部材の１／３程度の長さとなる位置にかけて設けられ、テーブル板は、扉の下端部近くの、下端部よりも上となる位置に設けられている作業用ブースが提供される。
【発明の効果】
【０００８】
本発明によれば、音環境の向上を図り、良好な作業環境を提供する作業用ブースを実現することができる。
【図面の簡単な説明】
【０００９】
【図１】本発明の第一実施形態に係る作業用ブースの一例を示す外観図である。
【図２】第一実施形態に係る作業用ブースの一例を示す、（ａ）は平面図、（ｂ）は背面図、（ｃ）は右側面図である。
【図３】本発明の第二実施形態に係る作業用ブースの一例を示す外観図である。
【図４】第二実施形態に係る作業用ブースの一例を示す、（ａ）は平面図、（ｂ）は背面図、（ｃ）は右側面図である。
【図５】第一実施形態に係る作業用ブースの変形例を示す、（ａ）は平面図、（ｂ）は背面図、（ｃ）は右側面図である。
【図６】第二実施形態に係る作業用ブースの変形例を示す、（ａ）は平面図、（ｂ）は背面図、（ｃ）は右側面図である。
【発明を実施するための形態】
【００１０】
以下に、本発明の実施形態について図面を参照して説明する。
ここで、図面は模式的なものであり、厚みと平面寸法との関係、各厚みの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【００１１】
［第１実施形態］
まず、本発明の第１実施形態を説明する。
［構成］
図１は、第１実施形態に係る作業用ブース１の一例を示す外観図であって、（ａ）は扉を開けた状態、（ｂ）は扉を閉めた状態を示す。
図２は、作業用ブース１の一例を示した構成図であって、（ａ）は平面図、（ｂ）は背面図、（ｃ）は右側面図である。
図２に示すように、作業用ブース１は、平面視が矩形であって、４枚の縦壁（壁状部材）２〜５を有し、具体的には、同一形状を有する前縦壁２及び後縦壁３と、前後の縦壁２、３よりも幅の広い左縦壁４及び右縦壁５と、を備え、右縦壁５は、扉５１と壁部５２とを備える。また、各縦壁２〜５の上端には、縦壁２〜５からなる矩形の開口部を塞ぐ天井板７が設けられている。扉５１及び壁部５２は略同一幅を有する。
【００１２】
作業用ブース１は、例えば、高さは１８００ｍｍであり、前後の縦壁２、３の幅は９００ｍｍ、左右の縦壁４、５の幅は１３５０ｍｍである。
作業用ブース１の内側には、テーブル板８が設けられている。テーブル板８は、作業用ブース１の底部から７２０ｍｍの高さの位置が上面となるように設けられている。テーブル板８は、略矩形状を有し、前縦壁２及び左右の縦壁４、５に３つの辺が接して水平に固定されている。また、テーブル板８の、例えば左端奥の角部には、図示しない配線孔又はコンセントが設けられている。
【００１３】
前縦壁２、左縦壁４及び右縦壁５の壁部５２のそれぞれには、テーブル板８を支持する受け材６１が設けられ、テーブル板８は３方を受け材６１により支持されている。テーブル板８の奥行は、ノート型パソコンやマウス等を載置して作業ができる程度の長さを有し、例えば６００ｍｍの長さを有する。
左縦壁４及び壁部５２のそれぞれには、棚板６２を取り付けるための一対のダボ柱６３が奥行方向に間隔を空けて２組取り付けられ、銀ダボの取り付け位置を調整することによって、テーブル板８の上方の任意の位置に、前縦壁２に接して、取り外し可能に棚板６２を取り付けられるようになっている。
【００１４】
また、左縦壁４は２枚の板材を幅方向に繋げて形成され、木ダボで位置出しし、内側からフラットバー等の補強材４ａで固定することにより、一体に形成される。
また、壁部５２の左端には、戸当たり５２ａが取り付けられている。戸当たり５２ａと補強材４ａとは同一形状を有し、意匠的に左右で同じ形状となっている。
【００１５】
棚板６２の奥行は、例えば３００ｍｍであり、棚板６２の前縦壁２側の縁には、幅方向中央部分から左右の端部寄りの位置にかけて切欠き６２ａが形成されている。この切欠き６２ａは、前縦壁２に後述の調音パネル６４を取り付けるための切欠きである。切欠き６２ａの左右方向の長さは、前縦壁２に取り付ける調音パネル６４の幅に応じて決定され、切欠き６２ａ部分に調音パネル６４が収まるようにして棚板６２を前縦壁２に取り付けることによって、調音パネル６４を容易に前縦壁２に取り付けることができる。
【００１６】
扉５１は、右縦壁５の長さの２／３程度の長さを有し、上端が右縦壁５の上端と同一位置となるように背面側からみて後縦壁３の右端に、回動可能に取り付けられている。扉５１は、例えば、丁番やスライドヒンジにより、２箇所又は３箇所固定することによって、後縦壁３に取り付けられている。また、扉５１は、閉じた状態で、扉５１と壁部５２とが面一となるように取り付けられる。
扉５１を閉じた状態では、扉５１の下部に開口部が形成され、この開口部は通気口としての機能を有する。
【００１７】
扉５１の略中央部には、上下方向に長い長方形の採光部５１ａが設けられている。この採光部５１ａは、例えば、扉５１をなす板材をくり抜き、透明板を嵌め込むこと等により形成される。
また、右側面側から見て、扉５１の上下方向略中央の右端寄りの位置には、扉５１を開閉するための取っ手５１ｂが取り付けられている。また、扉５１の内側にも取っ手５１ｂ′が取り付けられている。
【００１８】
また、前縦壁２の、作業用ブース１の内側となる面には、調音パネル６４が設けられている。調音パネル６４は、音響障害を改善するものであって、「吸音」と「散乱」とのバランスを調整することによって、音響障害のない音響空間を実現する。音響障害としては、残響過多、響きの周波数のバランスが悪い、フラッターエコーの発生、ブーミングの発生等がある。
また、左縦壁４及び右縦壁５の、作業用ブース１の内側となる面には、吸音材６５が設けられている。
【００１９】
吸音材６５としては、フェルトタイプのものや再生ポリエステル成形タイプのもの等を用いることができる。フェルトタイプのものとしては、例えば、厚さ９ｍｍ、定型サイズ６００ｍｍ×９００ｍｍ、素材はポリエステル製フェルトであって、印刷可能な不織布により、袋貼り（４方巻き込み）されているもの等がある。また、再生ポリエステル成形タイプのものとしては、例えば、厚さ７ｍｍ、サイズ３×６（９００ｍｍ×１８００ｍｍ）、素材はＰＥＴボトル再生ポリエステル材であって、印刷可能な不織布により、平貼り（４方巻き込みなし）されており、現場でのカットが可能なものであって、音響性能として、周波数１６００Ｈｚ以上４０００Ｈｚ以下で吸音率が０．６以上となる特性を有するもの等を用いることができる。具体的には、左縦壁４、また、扉５１及び壁部５２を含む右縦壁５は、例えば合板の表裏に、ＭＤＦ（Medium Density Fiberboard：中密度繊維板）を張り合わせ、さらに、表面はオレフィンシートにて加飾を行い、裏面については、ＰＥＴボトル再生ポリエステル材からなるホワイトキューオン（登録商標）の上に、インクジェット方式により印刷を行った不織布をラミネートした板材からなる。
また、フェルトタイプの吸音材としては、例えば、ポリエステル製フェルト吸音材であるフェルメノン（登録商標）を適用することができる。フェルメノンは周波数が１６００Ｈｚ以上８０００Ｈｚの範囲では、吸音率が０．６０以上となる特性を有している。
【００２０】
後縦壁３には、上端から１５０ｍｍ程度下の位置に、左右方向に長い長方形の採光部３ａが設けられている。この採光部３ａは、例えば、後縦壁３をなす板材をくり抜き、透明板を嵌め込むこと等により形成される。
天井板７には、後縦壁３寄りの長手方向略１／２の領域の略中央部に、左右に長い長方形の採光部７ａが設けられている。採光部７ａは、例えば、天井板７をなす板材をくり抜き、透明板からなる採光パネル７ｂを嵌め込むこと等によって形成される。この採光パネル７ｂは、取り外し可能に天井板７に取り付けられている。
【００２１】
また、図１に示すように、天井板７の前後方向略中央部には、ＬＥＤ等の光源７ｃを取り付けることが可能である。光源７ｃへの配線は、例えば、前縦壁２の左下端や左縦壁４の幅方向略中央の下端に配線孔加工を行うこと（図示せず）によって、電源を確保するようになっている。
各採光部に用いられる透明板としては、アクリル板や、ＰＥＴ−Ｇ（グリコール変性ポリエチレンテレフタレート）製等の板等を適用することができる。また、扉５１に設けられる採光部５１ａは、例えば、２９８ｍｍ×３９８ｍｍの大きさに形成される。また、天井板７及び後縦壁３に設けられる採光部７ａ、３ａは、例えば、５９８ｍｍ×３４８ｍｍの大きさに形成される。
【００２２】
前後左右の縦壁２〜５は、前縦壁２及び後縦壁３を、左縦壁４及び右縦壁５で挟むように、木ダボで位置出ししてビス止めされている。同様に、天井板７は、前後の縦壁２及び３、左縦壁４及び壁部５２から木ダボで位置出しして天井板７側からビス止めすることにより固定される。
なお、作業用ブース１の組立時には、左右の縦壁４、５に取り付けられる吸音材６５を、予め必要なサイズにカットしておく。これにより、両面テープ、面ファスナー、専用部品等によって、吸音材を左右の縦壁４、５に容易に取り付けることができる。
【００２３】
各縦壁２〜５及び天井板７は、ＭＤＦ（中密度繊維板）２．５ｍｍとＬＶＬ（単板積層材）又はＰＢ（パーティクルボード）１８ｍｍとＭＤＦ２．５ｍｍとを、貼り合わせて形成される。また、テーブル板８及び棚板６２は、ＭＤＦ２．５ｍｍとＬＶＬやＰＢ２０ｍｍとＭＤＦ２．５ｍｍとを、貼り合わせて形成される。これら部材は、製品の輸送や、組み立てを考慮し、各部を軽くし、取り扱いを容易にするため、フラッシュ構造を有することが望ましい。
また、作業用ブース１の表面となる箇所に、化粧シートやラッピング等を行うことにより、意匠性を高めてもよい。
【００２４】
［効果］
このような構成を有する作業用ブース１を使用するときには、利用者は、テーブル板８の上にノート型パソコン等、作業道具を載置し、前縦壁２に向かって椅子に座って作業を行う。この状態で扉５１を閉じると、図１（ｂ）に示すように、少なくとも略椅子の座面よりも上方は四方を縦壁２〜５で囲まれ、また上部は天井板７で塞がれた状態となる。そのため、作業用ブース１内の利用者に対する、作業用ブース１外の人の視線を遮ることができると共に、作業用ブース１外の音が騒音として利用者に伝わることを抑制することができる。そのため、利用者が集中できる環境を容易に作り出すことができる。
【００２５】
また、作業用ブース１内で作業する際に利用者自身が騒音源となり発する音は、電話での会話や、ノート型パソコン等を操作することによる操作音等が主であって、上述のように、利用者自身が発する音の騒音源は、四方及び天井が縦壁２〜５及び天井板７で囲まれている。さらに、作業用ブース１内の左右の縦壁４、５には、吸音材６５を設けている。そのため、利用者自身が騒音源となって発する音が、開口部から外部に漏れにくくすることができる。
【００２６】
一方、図１に示すような比較的小空間においては、壁や床、天井等の材質や、気密性等が原因となって、音響障害が生じる可能性がある。しかしながら、作業用ブース１の内側となる前縦壁２の面に、調音パネル６４を設けている。そのため、音響障害を低減することができる。その結果、音響障害を抑制することができると共に、作業用ブース１の外部の音を利用者が騒音と感じることを抑制することができ、作業環境として良好な空間を実現することができる。
また、前後左右の縦壁２〜５や天井板７の取り付けは、木ダボで位置出しをすることで、簡易的な組み立てが可能となっている。そしてその後ビスを行うようになっているため、組み立て作業に不慣れな人であっても簡単に組み立てを行うことができる。
【００２７】
また、天井板７に設けた採光部７ａは、採光パネル７ｂを取り外し可能に設けている。そのため、例えば、採光パネル７ｂを取り外すことによって作業用ブース１内の換気を容易に行うことができる。また扉５１を開けずに換気を行うことができるため、利用者が騒音源となって発する音が漏れること、或いは外部の音が利用者に与える影響をある程度抑制したまま、換気を行うことができる。そのため、作業用ブース１内での作業を継続したまま換気を行うことができ、使い勝手を向上させることができる。
【００２８】
また、作業用ブース１には、扉５１の下部に開口部が設けられているため、吸音材６５や調音パネル６４を設けたとしても、開口部を通して外部の雑音が作業用ブース１内に伝わったり、作業用ブース１内の雑音が外部に漏れたりするように思われる。しかしながら、吸音材６５や調音パネル６４を設けることによって作業上の音や会話の音が外部に漏れにくくしているため、作業用ブース１内の音環境を良好な環境に維持することができる。
【００２９】
［第２実施形態］
次に、本発明の第２実施形態に係る作業用ブース１０１を説明する。
［構成］
図３は、第２実施形態に係る作業用ブース１０１の一例を示す外観図であって、背面側から見た図である。第２実施形態に係る作業用ブース１０１は、図１に示す第１実施形態に係る作業用ブース１において、背面側に扉を設けたものである。
図４は、作業用ブース１０１の一例を示した構成図であって、（ａ）は平面図、（ｂ）は背面図、（ｃ）は右側面図である。
【００３０】
図４に示すように、作業用ブース１０１は、前縦壁１０２と、同一形状を有する左右の縦壁１０３及び１０４とを備えると共に、観音開き式の扉１０５を備える。また、各縦壁１０２〜１０４の上端には、縦壁１０２〜１０４及び扉１０５からなる矩形の開口部を塞ぐ天井板１０７が設けられている。
作業用ブース１０１は、例えば、高さは１８００ｍｍであり、縦壁１０２及び扉１０５の幅は９００ｍｍ、左右の縦壁１０３、１０４の幅は１３５０ｍｍである。また、作業用ブース１０１の内側には、作業用ブース１０１の底部から７２０ｍｍの高さの位置が上面となるように、テーブル板１０８が設けられている。
【００３１】
テーブル板１０８は、略矩形状を有し、前縦壁１０２及び左右の縦壁１０３、１０４に３つの辺が接して固定されている。縦壁１０２、縦壁１０３、１０４のそれぞれには、受け材１６１が設けられ、テーブル板１０８は３方を受け材１６１により支持されている。テーブル板１０８の奥行は、ノート型パソコンやマウス等を載置して作業ができる程度の長さを有し、例えば６００ｍｍの長さを有する。また、テーブル板１０８の例えば左端奥の角部には、図示しない配線孔又はコンセントが設けられている。
【００３２】
左右の縦壁１０３、１０４のそれぞれには、棚板１６２を取り付けるための一対の棚柱１６３が棚板１６２の奥行方向に間隔を空けて２箇所に設けられ、図示しない棚受の取り付け位置を調整することによって、テーブル板１０８の上方の任意の位置に、縦壁１０２に接して、取り外し可能に棚板１６２を取り付けられるようになっている。棚板１６２の奥行は、例えば３００ｍｍである。上記第１実施形態に係る作業用ブース１と同様に、棚板１６２の前縦壁１０２側の縁には、幅方向中央部分から左右の端部寄りの位置にかけて切欠き１６２ａが形成され、棚板１６２を取り付けることによって、調音パネル１６４を前縦壁１０２と一体に固定するようになっている。
また、左右の縦壁１０３、１０４は２枚の板材を幅方向に繋げて形成され、木ダボで位置出しし、内側からフラットバー等の補強材１０３ａ、１０４ａで固定することにより、一体に形成される。
【００３３】
扉１０５は、作業用ブース１０１の長さの２／３程度の長さを有し、左扉１０５ａ及び右扉１０５ｂの上端が左右の縦壁１０３、１０４の上端と同一位置となるように、左右の縦壁１０３、１０４の端部それぞれに、回動可能に取り付けられている。左右の扉１０５ａ、１０５ｂは、例えば、丁番やスライドヒンジにより、２箇所又は３箇所固定することによって、左右の縦壁１０３、１０４それぞれに取り付けられている。
また、扉１０５を閉じた状態では、扉１０５の下部に開口部が形成され、この開口部は通気口の機能を有する。
左扉１０５ａの右端寄り及び右扉１０５ｂの左端寄りの上下方向略中央部には、左右の扉１０５ａ、１０５ｂを開閉するための取っ手１０５ｃがそれぞれに設けられている。また、扉１０５ａ、１０５ｂの内側にも取っ手１０５ｃ′が設けられている。
【００３４】
また、前縦壁１０２の、作業用ブース１０１の内側となる面には、第１実施形態における作業用ブース１と同様の調音パネル１６４が設けられている。
また、左右の縦壁１０３、１０４の、作業用ブース１０１の内側となる面には、第１実施形態における作業用ブース１と同様の吸音材１６５が設けられている。
右縦壁１０４の、扉１０５側の幅方向略１／２の領域であり、上端から１５０ｍｍ程度下の位置に、上下方向に長い長方形の採光部１０４ｂが設けられている。この採光部１０４ｂは、例えば、右縦壁１０４をなす板材をくり抜き、透明板を嵌め込むこと等により形成される。
【００３５】
同様に天井板１０７には、扉１０５側の長手方向略１／２の領域の略中央部に、左右に長い長方形の採光部１０７ａが設けられている。採光部１０７ａは、例えば、天井板１０７をなす板材をくり抜き、透明板からなる採光パネル１０７ｂを嵌め込むこと等によって形成される。この採光パネル１０７ｂは、取り外し可能に天井板１０７に取り付けられている。
【００３６】
また、図３に示すように、天井板１０７の前後方向略中央部には、第１実施形態における作業用ブース１と同様に、ＬＥＤ等の光源１０７ｃを設けることが可能である。
各採光部に用いられる透明板としては、アクリル板や、ＰＥＴ−Ｇ（グリコール変性ポリエチレンテレフタレート）製等の板等を適用することができる。また、右縦壁１０４に設けられる採光部１０４ｂは、例えば、２９８ｍｍ×３９８ｍｍの大きさに形成される。また、天井板１０７に設けられる採光部１０７ａは、例えば、５９８ｍｍ×３４８ｍｍの大きさに形成される。
【００３７】
そして、前及び左右の縦壁１０２〜１０４は、前縦壁１０２を、左右の縦壁１０３、１０４で挟むように、木ダボで位置だししてビス止めされている。また、木ダボで位置だしして天井板１０７の上側から前及び左右の縦壁１０２〜１０４にビス止めすることにより、天井板１０７が固定される。
各縦壁１０２〜１０４及び天井板１０７は、例えば、ＭＤＦ（中密度繊維板）２．５ｍｍとＬＶＬ（単板積層材）又はＰＢ１８ｍｍとＭＤＦ２．５ｍｍとを、貼り合わせて形成される。また、テーブル板１０８及び棚板１６２は、ＭＤＦ２．５ｍｍとＬＶＬやＰＢ２０ｍｍとＭＤＦ２．５ｍｍとを、貼り合わせて形成される。これら部材は、製品の輸送や、組み立てを考慮し、各部を軽くし、取り扱いを容易にするため、フラッシュ構造を有することが望ましい。
【００３８】
また、作業用ブース１０１の表面となる箇所に、化粧シートやラッピング等を行うことにより、意匠性を高めてもよい。また、第２実施形態に係る作業用ブース１０１の場合も、上記第１実施形態と同様に、天井の光源１０７ｃへの配線の引き回しを考慮して、配線孔等を形成してもよい。
【００３９】
［効果］
このような構成を有する結果、作業用ブース１０１は、上記第１実施形態と同等の作用効果を得ることができる。
また、例えば、図１に示す第１実施形態における作業用ブース１のように、右側に扉があると扉が開けられない等、設置場所に適合しない場合もある。そのような場合には、図３に示すように、利用者の後側に扉１０５がある作業用ブース１０１を用いればよい。
【００４０】
［変形例］
上記各実施形態においては、図１、図３に示すように、扉を、右縦壁５や、前縦壁１０２に対向する後縦壁相当の位置に設ける場合について説明したが、これに限るものではない。図１に示す第１実施形態に係る作業用ブース１において、例えば、扉５１を左縦壁４又は後縦壁３に設けてもよい。また、扉５１を右縦壁５の前縦壁２側、つまり壁部５２の位置に設けてもよい。同様に、図３に示す第２実施形態に係る作業用ブース１０１において、右縦壁１０４又は左縦壁１０３の位置に観音開き式の扉１０５を設けてもよい。
また、図１、図３に示すように、扉を前後方向に回動させる場合に限らず、左右方向に引いて扉を開ける引き戸型の扉を設けてもよい。
【００４１】
また、上記各実施形態においては、天井板７を設けた場合について説明したが、必ずしも天井板７、１０７は設けなくともよい。天井板７、１０７を設けない場合には、スプリンクラー等の消火設備や火災（熱・煙）等の探知設備を設ける必要がない。
図５に、第１実施形態に係る作業用ブース１において、天井板７を設けない作業用ブースの一例の構成図を示し、図６に、第２実施形態に係る作業用ブース１０１において、天井板１０７を設けない作業用ブースの一例の構成図を示す。なお、図５、図６において、（ａ）は平面図、（ｂ）は背面図、（ｃ）は右側面図である。図５、図６に示すように、天井板７、１０７に代えて、フレーム２０１を設けている。
【００４２】
例えば図５に示す、右縦壁５に扉５１を有する作業用ブース１′の場合、前後左右の縦壁２〜５の上端の開口部に嵌められたフレーム２０１を設ける。フレーム２０１は、平面視で矩形状の枠部２１１と、桟部２１２とを有する。枠部２１１は、長尺の棒材を枠型に組み合わせて形成され、枠部２１１の外周は、前後左右の縦壁２〜５により形成される開口端の外周と略一致する。桟部２１２は、長尺の薄い板状の部材で形成され、前縦壁２及び後縦壁３の間にこれらと平行に等間隔に２本設けられる。枠部２１１を構成する各棒材は、断面が鉤型状であって、縦壁２〜５と対向する側の面に、枠部２１１に沿って凸部２１１ａを備える。凸部２１１ａは、枠部２１１の外周から縦壁２〜５の厚み相当だけ内側に形成され、凸部２１１ａの内周が、枠部２１１の内周と連続している。凸部２１１ａを、縦壁２〜５の開口部に嵌め込み、枠部２１１と縦壁２〜５の開口部とを嵌合することにより、フレーム２０１を縦壁２〜５により支持し、この状態で、フレーム２０１と縦壁２〜５とをビス止め等により固定している。
【００４３】
図６に示す、前縦壁１０２と対向する位置に観音開き式の扉１０５を備えた作業用ブース１０１′においても、同様にフレーム２０１を設ければよい。
なお、図５、図６では、天井板７、１０７を設けない場合の一例として、天井板７、１０７に代えてフレーム２０１を設ける場合について説明したが、これに限るものではない。
【００４４】
また、上記各実施形態においては、扉の下方に開口部を備える場合について説明したが、例えば、扉の上方に開口部を備えていてもよく、また扉の上方及び下方に両方に開口部を備えていてもよい。少なくとも、作業用ブース１、１０１内で作業している利用者の視界を外部から遮る位置に扉があればよい。なお、天井板７を設けない場合には、必ずしも開口部を設けなくともよい。また、開口部を例えば、扉とは別の縦壁に設けてもよい。つまり例えば、図１の作業用ブース１の場合には、例えば、左縦壁４、後縦壁３、壁部５２等の、利用者の視界に外部の様子が入らない位置に設けてもよい。
【００４５】
また、上記各実施形態においては、例えば作業用ブース１では、棚板６２、１６２に切欠き６２ａ、１６２ａを設け、この切欠き６２ａ、１６２ａに調音パネル６４、１６４を取り付けることで、調音パネル６４、１６４を前縦壁２、１０２に取り付ける場合について説明したが、切欠き６２ａ、１６２ａを設けずに、調音パネル６４、１６４を直接前縦壁２、１０２に取り付けてもよい。
【００４６】
また、上記各実施形態においては、作業用ブース内に、調音パネル及び吸音材を設ける場合について説明したが、さらに遮音材を設けるようにしてもよい。また、調音パネルを前縦壁に設け、吸音材を左右の縦壁に設けているが、作業用ブース内のいずれの位置に設けてもよく、例えば天井板、後縦壁等にも配置してもよく、例えば調音パネルは、作業用ブース内の音の反射状況等に応じて良好な音環境となる位置に配置すればよい。
また、棚板６２、１６２は、必ずしも設けなくともよく、また、テーブル板８、１０８の上方ではなく、作業用ブース１、１０１内の他の箇所に設けてもよい。
【００４７】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【００４８】
１、１０１  作業用ブース
１′、１０１′  作業用ブース
２、１０２  前縦壁
３  後縦壁
３ａ  採光部
４、１０３  左縦壁
５、１０４  右縦壁
７、１０７  天井板
７ａ、１０７ａ  採光部
７ｂ、１０７ｂ  採光パネル
７ｃ、１０７ｃ  光源
８、１０８  テーブル板
５１  扉
５２  壁部
６１  受け材
６２、１６２  棚板
６４、１６４  調音パネル
６５、１６５  吸音材
１０５  扉
１０５ａ  左扉
１０５ｂ  右扉
２０１  フレーム
２１１  枠部
２１２  桟部
【要約】
【課題】音環境の向上を図り、良好な作業環境を提供することの可能な作業用ブースを提供する。
【解決手段】前後左右の縦壁２〜５を有する平面視が矩形の作業用ブース１であって、前縦壁２、左縦壁４及び右縦壁５の内側の面に沿って水平に設けられたテーブル板８を有し、右縦壁５には扉５１を備える。さらに、作業用ブース１の内側の、前縦壁２には調音パネル６４が設けられ、左右の縦壁４、５には、吸音材６５が設けられている。作業用ブース１内は、四方が壁で囲まれているため外部の音を遮断しやすい。また作業用ブース１内には調音パネル６４と吸音材６５が設けられているため、作業用ブース１内の利用者自身が騒音源として発する音による音環境を改善することができると共に、利用者が発する音が外部に漏れることを回避することができる。
【選択図】図２【図１】
0006879420.tif 000002
【図２】
0006879420.tif 000003
【図３】
0006879420.tif 000004
【図４】
0006879420.tif 000005
【図５】
0006879420.tif 000006
【図６】
0006879420.tif 000007